(57)【要約】  ミルクカートンＮＬのようなカートンであって、特性的特徴として、完全に開口され、そして偏平に折り畳まれる、上側部を具備している。この偏平に折り畳まれたカートンは（図５４、５５、５６）と同じ特性的特徴を示し、それらは展開されてその後に再び折り畳まれるのに要する折り目を具える。これらのカートンは清潔且つ未使用であって、衛生的に梱包される。これらは、すすがれ、洗浄され、再使用可能である。一連の図がカートンの外側に設けられ、カートンをどのようにして展開するか、そして、その後にどのようにして閉鎖され再び折り畳まれるかを示している。【特許請求の範囲】
【請求項１】
ミルクカートンＮＬのようなカートンであって、特性的特徴として、完全に開口され、そして偏平に折り畳まれる、上側部を具備している。この偏平に折り畳まれたカートンは（図５４、５５、５６）と同じ特性的特徴を示し、それらは展開されてその後に再び折り畳まれるのに要する折り目を具える。これらのカートンは清潔且つ未使用であって、衛生的に梱包される。これらは、すすがれ、洗浄され、再使用可能である。一連の図がカートンの外側に設けられ、カートンをどのようにして展開するか、そして、その後にどのようにして閉鎖され再び折り畳まれるかを示している。
【請求項２】
折り畳まれた開口部を封ずることができるファスナと組み合わされた、請求項１のカートンである。このファスナはまた独立して販売可能であり、このファスナは特性的特徴として、内側の液体が漏出できないように、ミルクカートンＮＬの開口部の幾つかの層を相互に強い力で押圧する機能を有する。これは一方の端から他方の端まで分割（スプリット）された金属或は堅いプラスチックで形成されたチューブ形状である。折り畳まれた開口部の幾つかの層は、スプリットの２つの側部の間に締め付けられる。スプリットの２つの側部の隅／角及び縁は丸められ、ファスナをＡ周りに摺動し易くしている。スプリットの４つの隅／角にフックがそれぞれ取り付けられ、折り畳まれた上側部の２つの傾斜側部の４つの縁の周りに引っ掛けられ、その下に配置される。またファスナは２つの部分から形成され、互いに部分的に押し入れ或いは押し出され、前記フックの配置や傾斜側部の縁に係止するのを容易にしている。スプリングを用いて、これら２つの部分が、互いを保持するとともに確実に相互に引き寄せ合うようにしている。ファスナの一方側から他方側に進む２つの雄ねじと２つの雌ねじを用いて、スプリットの２つの側部が互いに大きな力で押圧されるようにしてもよい。スプリットの２つの側部は出っ張りと溝とを有し、Ａ内に圧入される部分のサイズをより小さくして、同じ力を用いてスプリットの側部をＡ内により深く圧入できるようにしている。
【請求項３】
請求項１のカートンにおいて、展開されたカートンの上側部に折り畳まれた開口を具備するストリップ（Ａ）は、特性的特徴として、上側部の外側に更なる層が貼りつけられており、両側においてストリップを厚くして、ファスナがその方向に滑るようにしている。この更なる層は、折り目が適切に機能するのを妨げないように、折り目の周辺では中断されている。Ａを更に厚くすることにより、開口部の開閉が容易となる。また他のカートンは、特性的特徴として、開口部のリム周りに更なる層が設けられ、ファスナがその方向に滑らないようにしている。
【請求項４】
請求項１のカートンにおいて、これらのカートンが、特性的特徴として、２つの注ぎ口が折り畳まれる際に相互に接触しない。これを補償すべく、Ａの外側である両方の層の内側にカートンの更なる層が貼りつけられる。この更なる層は２つの注ぎ口の先端間に設けられ、Ａがどこにおいても同一数の層を有し、Ａがファスナによって密に一体的に押圧され開口部の漏出が防止されるようにしている。
【請求項５】
折り畳まれた開口部を封止可能なファスナと組み合わされた、請求項１のカートンである。このファスナはまた独立して販売可能であり、特性的特徴として、Ａ周りに下向きに押圧されるスリットを中間部に有する矩形Ｒである（図８）。Ｒの両端部はＰに沿って下向きに折り曲げられていてもよい。厚い更なる層が、Ｒの下側とスリットの何れかの側、および必要であれば、Ｐに沿って折り曲げられる端部の両方に貼りつけられる。折り目の場所でこの更なる層は必要なだけ中断しており、折り目の機能が維持されるようにしている。Ｒが配置され２つに折り畳まれたとき、折り目はスリットの延長としてＲを縦に通るように走る。厚い余剰層で形成されたスリットの部分は、Ｖ字型であってもよい。このＶ字型により、Ａの下部は強い力で一体的に押圧される。Ｒの両端部における余剰層の形状は、Ｐの折り畳まれた上側部の傾斜側部の下のＰの両側にあるキャビティの三角形に適合するようにする。下方に折り曲げられるＲの２つの端部の縁は、粘着層を用いてＰに貼りつけられてもよい。ファスナは１または複数の種類のカートンで構成することができるが、さらにプラスチック或はプラスチックと布地の組み合わせのような持続性があって丈夫な材料で構成してもよい。ファスナの両端部はまた、Ｐの主要部を取り囲む部分に結着されてもよい。Ｐの周囲のこの部分に吸収材を取り付けて、内容物の幾分かを注いだ後、Ｐに沿って下方に漏出する液滴を捕らえて保持することができる。この吸収材は、余剰な液体を保持するために、上側を除いた全ての側部で液体を通さない層を有してもよい。
【請求項６】
請求項１のカートンにおいて、Ｐを囲って請求項６のように液滴を捕らえて保持する手段であって、ファスナが結着されていない特性的特徴を有する。この液滴を捕らえて保持する手段はまた、Ｐを取り巻く代わりにＰの側部に取り付けられてもよい。
【請求項７】
請求項１のカートンにおいて、同様に独立して販売可能な手段Ｏと組み合わされている。この手段Ｏは、特性的特徴として、２つの折り目を有し、これにより互いに隣り合う３つの矩形に分割される矩形である。ＯをＰに押し入れた場合、３つの矩形はＰの内側における３つの側部と良好に適合し、Ｏの縁部は第４の側部の隅に良好に適合する。ＯをＰ内側に配置したら、溝或はシールドとして使用することができる。しゃがんで小便をしたい女性にとっての溝となり、或は、Ｐ内に小便をしたい男性にとってのシールドとなる。Ｏの縁は２つの窪みを有する。１の窪みは２つの矩形の切り口によって形成されている。これらの窪みをＰの開口部のリム周りに係止させ、Ｏがずれないようにするとともに、Ｏの側部が互いに内側に曲がらないようにしている（図２）。Ｐから突き出るＯの部分の２つの隅／角は、切り取られ又は折り畳まれた部分が三角形となるように、切り取られ又は折り畳まれる。２つの隅／角が切り取られた形状はさらに、これを折り曲げて使用者の身体の形に調整してもよい。
【請求項８】
請求項１のカートンＰにおいて、請求項４の更なる層と、必要に応じて請求項５の更なる層を有し、これらカートンが特性的特徴として、緊急トイレに使用できるような大きさである。外側には、Ｐの折り畳まれた開口部を雨から保護する屋根として使用可能な形状のカートンが取り付けられている。また、折り畳まれた開口部の上に極細の網の層を設けて、虫のような小さな生物を食い止めるようにしている。Ｐの内側で上昇する圧力が特定レベルを超えないように、バルブをＰの側部に取り付けてもよい。必要に応じて、Ｐのバルブにフィルタを組み込み、害のある内容物が外に出ないようにする。折り畳み可能な脚付きの便座をＰの開口部に配置することができる。ゴミ袋のようなビニール袋をＰ内に配置して使用してもよい。
【請求項９】
請求項１のカートンにおいて、ファスナと組み合わせて使用可能な補助部材が組み込まれている。この補助部材も独立あるいはファスナと組み合わせて販売され、そしてこの補助部材は、特性的特徴として、ヒンジ付けで相互に連結される２つの矩形から形成されている。両矩形は外側に溝を有する。両矩形が互いの方に折り畳まれたとき、ファスナのスプリットの２つの側部を溝内に押し入れることができる。両矩形は、カートンの開口部を挟んで、互いの方に折り畳むことができる。これはカートン、金属、或は、硬質プラスチックで形成可能であり、２つの矩形の内側にゴムなどの弾性材料からなる層を貼りつけてもよい。２つの矩形の隅／角にはフックが取り付けられ、これらが折り畳まれた開口部の傾斜側部の縁の周りに係止される。
【請求項１０】
請求項１のカートンにおいて、閉鎖され、ミルクカートンＮＬの上側部のように見え、或いはミルクカートンＮＬの逆さまにされた平坦な下側部のように見える上方側部を有する。これらのカートンは消費者が購買する前に物品で既に満たされており、これらカートンは特性的特徴として、請求項１におけるような予め設けられた折り目の組み合わせを有し、これを用いて空にされた後に該カートンを偏平に折り畳むことができる。折り目は、カートンへ押圧することによって設けられ、或は、ラインとして外側に記される（図３、５、３７，４７、４９）。カートンまたは他のパッケージの外側には、それらがどのようにして折り畳まれるかを示す一連の図が設けられる。
【発明の詳細な説明】
【技術分野】
【０００１】
容器Ｐは、４つの偏平矩形側部を具備する偏平矩形底部と、その底部と同じ大きさの開口部と、から形成されている。容量の単位として１／２、１、或は、１と１／２リットルのディリーフレッシュ低温殺菌牛乳のオランダで一般的な容器を、本願において「ミルクカートンＮＬ(ＭｉｌｋｃａｒｔｏｎＮＬ)」と称する。Ｐは、ミルクカートンＮＬを形成するプラスチック被覆と同一の防水のカートンで形成されている。Ｐの各種寸法、側部、底部、開口部は変化してもよい。Ｐは、該Ｐを偏平に折り畳むのに用いるために準備された折り目の幾つかの組み合わせを有してもよく（特に、図５４、５５、５６）、それら準備された折り目はミルクカートンＮＬの開口部（注ぎ口）及び上側部に使用されるようなものである。開口部のあるＰの上側部は準備された折り目を有し、これを相互に折り畳むことにより、ミルクカートンＮＬの閉鎖された上側部のように閉鎖された見た目となる。Ｐは折り畳まれて束にしてまとめて販売される。
【背景技術】
【０００２】
Ｐの折り畳み及び展開に使用される準備された折り目の組み合わせは、製造業者によって満たされた既存のパッケージと組み合わせて使用され得る。これにより、使用されて空となった後に、それらをより容易に偏平に折り畳むことができる。これにより、ごみの中あるいはリサイクル待ちの間の占有空間が小さくなる（特に、図３、５、２０、３７、４７、４９）。
【０００３】
パッケージをどのようにして折り畳むかを説明すべく、一連の図がそのパッケージの外側に配置されている。パッケージがカスタードで満たされていた場合、その一部がパッケージの内側に残っていることがある。一連の図は、パッケージを折り畳む際にカスタードの最後の少量をどのようにして搾り出すかを説明してもよい。また一連の図はＰの外側に配置されて、Ｐがどのようにして展開されるかを説明すると共に、所望に応じて、Ｐをどのようにして再び偏平に折り畳めるかを説明している。
【０００４】
開口された後、液体物質を入れるねじぶたを有さない多くのカートンの開口部は、振ったり逆さまに持ったりすると漏出することになる。ミルクカートンＮＬの閉鎖された開口部の折り畳まれた側の幾つかの層から形成されている開口部の上側部は、「Ａ」と参照される。ミルクカートンＮＬ（Ａ）の開口部の幾つかの層を相互に指の間で強く押すと、漏出を防止できる。しかし、振ったり逆さまにする際にＡが相互にしっかりと押圧されていなければ、液体物質は漏出することになる。
【０００５】
ファスナは、あたかも巻かれた矩形のように、一端から他端まで割られたチューブのように見える金属或は堅いプラスチックで形成されている。スプリット（割れ目）を具備するファスナをＡの周りに押し当てて、スプリットの両側による圧力が充分に大きければ、ミルクカートンＮＬは防水状態で閉塞されることになる。スプリットの両側の隅／角度および縁部は丸くなっており、Ａの周りにファスナを摺動し易くしている。Ａに押しつけられているスプリットの両側部は間に小さな溝を有する２つの出っ張りに分割されていてもよい。これによって、Ａとの接触面がより小さくなって、スプリットの両側部がより深くＡ内に押圧され、より大きな力を用いる必要がない。また、スプリットの一方の側は２つの出っ張りとそれらの間の溝によって形成され、スプリットの他方の側はその中央の小さな出っ張りによって形成されて、一方の側の中央のより幅広い溝内に嵌合するようにしてもよい。不意にファスナがＡから滑り外れるのを防止すべく、厚材をＡの上側部に貼り合わせてもよい（図５３の陰影部）。この厚材は、Ａの上側部の両側に貼りつけられたカートンの余剰層とすることができる。この厚くされた部分の下には、ファスナのスプリットをＡ周りに摺動させるに充分な空間が確保される。ミルクカートンＮＬにおける開口部の注ぎ口の展開及び折り畳み（開閉）をより容易にするために、厚材部分を形成するカートンの余剰層は、折り目との交差部の周りで中断していてもよい。これによりミルクカートンＮＬの注ぎ口がしっかりしたものとなり、ミルクカートンＮＬを初めて開口する場合にも容易となる。不意にファスナがＡで摺動することを防止すべく、４つのフックがスプリットの４つの隅／角で該ファスナに取り付けられてもよい。これら４つのフックは、ミルクカートンＮＬの折り畳まれた上方部の２つの傾斜側部における４つの縁の周りにフックされて、該縁の下方に配置される。それらフックの内の一対がＡの一方の端部における傾斜側部の縁下方に配置されると、フックの他方の一対の点までの距離が可能な限り小さくなり、フックのそれらの点が傾斜側部の縁上で下方へ押されるのに充分な空間が付与され、ファスナが不意に滑り外れにくくしている。ファスナは、互いに部分的に嵌合しスプリットの両端に一対のフックを有する２つの部分から形成されてもよい（図５９）。一方の部分に設けられた幾つかの溝と、他方の部分に設けられた溝に嵌合する幾つかの突起によって、この２つの部分のねじれを防止することができる。スプリングを用いることによって、この２つの部分は相互に確実に挿入され、互いにしっかり保持される。ファスナのスプリットにおける２つの側部は、ボルト或は雌ねじが切られたねじを用いて更に堅固に一体的に押圧することができる。これらのボルトやねじはファスナの一方の側から他方の側までＡと直角に配置される。Ａを閉じるには、スプリットの２つの側を緊密に押圧すると共にそれらにかける圧力が重要である。スプリットにおける２つの側部の間の連結部のチューブ型形状は、異なる形状としてもよい（図面の第１ページの右下にある図５７）。
【０００６】
ファスナは、２つの折り畳まれた注ぎ口の幾つかの層を押圧することで、Ｐの折り畳まれた開口部を閉鎖することができ、Ｐの開口部が堅固に一体的に形成される。もし２つの注ぎ口の点が相互に良好に連結されて、折り畳む際にそれらの間に空所が残らなければ、Ｐの開口部は防水状態で閉鎖されることになる。Ｐの開口部が正方形でなく矩形であれば、折り畳まれた注ぎ口の２つの点は相互に接触しない。それらの間の空間を埋めるべく、Ａの外側を形成する２つの層の内側にカートンの余剰層を取り付けてもよい。この場合、Ａは全体として同じ数の層によって形成されることになる。
【０００７】
このファスナはまた、Ａの周りに圧着されそれを一体的に押圧することでＡを閉鎖するスリットを備える固いカートンで矩形に構成されてもよい（図１及び８）。この矩形の両端部は下方へ折り曲げられ、必要に応じて、粘着層を用いてＰの側部に結着されてもよい。カートンの矩形の形状片の下側であってスリットの両側に、段ボール紙の層をスリットに直角に取り付けて、皺の開口部がＡに直面するようにしてもよい。カートンの矩形片を上方へ折り畳むと、スリットは折り目の一部となって、Ａの周りへと下側に押される。その端部を偏平且つ下方に折り畳むと、段ボール紙の皺の開口部はＡの両側部に堅固に押圧される。段ボール紙の縁をＡに対し傾斜した角度で切り取り、そのＶ字形状により、Ａの下部にかけられる圧力を最大としてもよい。カートンの矩形片の端部の下側に更なる段ボールの層を貼りつけてもよい。この端部を下方に折り畳むと、この更なる層はその形状をより堅固に支持することになる。この更なる層は折り目の辺りで中断するようにして、折り畳み或は展開機能を妨げないようにする。この更なる層は、Ｐの上側部の折り畳まれた側の下側にある三角の空間／キャビティに合致するようにしてもよい。ファスナの下方に折られた端部は、Ｐの側部に一種の接着剤を用いて結着してもよい。ファスナの下方に折られた端部はまた、Ｐ／ミルクカートンＮＬの本体の外周部分に取り付けられてもよい（図５１）。Ｐ／ミルクカートンＮＬの本体外周部分に液体吸収層を貼りつけて、内容物の一部を注いだ後に側部にこぼれる液滴を捕らえるようにしてもよい。Ｐ／ミルクカートンＮＬの液滴を捕らえる液体吸収層を有する本体外周部は、これに取り付けられるファスナ無しで使用することができる。また、液体を吸収する材料でなる矩形部分をＰの側部にテープで貼りつけるようにしてもよい。このテープは右側、左側、下側のみに結着し、上側を開口状態で残して降下してくる液滴を捕らえて保持するようにする。また、液体を吸収する生地や布地を弾性リボンやベルクロ（商標）のようなファスナと組み合わせて用い、Ｐの本体を取り囲むようにしてもよい。この場合、他の汚れた洗濯物と一緒に洗浄することができる。
【０００８】
展開された防水性のＰは、消費者自身によって液体物質を満たされるか空とされ、使用後、それらは洗浄されて再使用される。Ｐは皿洗い機で洗浄することができる。
【０００９】
また、溝Ｏ（図２）をＰと同じ材料から形成して、液体或は他の物品を集めるように構成してもよい。Ｏは３つの矩形に分割された矩形であり、それらの間に２つの折り目を有する。Ｐ内において、Ｏをその縁が第４の側の２つの角に入るように配置すると、Ｏの３つの矩形がＰの３つの側部と良好に嵌合する。Ｏの２つの外側側部の縁には２つの窪みが形成されている。窪みは２つの矩形切り口によって形成されている。これらの窪みはＰの開口部のリム周りに引っ掛けられ、Ｏを支持するとともに、Ｐの展開された開口部の上側部が多少激しく握られた場合にもＯの形状を安定させる。ＯはＰが液体や他の物品を捕らえたり収集したりする役に立ち、ＯとＰの組み合わせを傾斜して保持すると、液体或は物質がＰの内側に滑り込む。またこのＯとＰの組み合わせは女性が小便を入れるのに使用可能である。しゃがんで両脚の間に保持し、膣に押し当てる。このＯとＰの組み合わせはまた男性の小便を入れるのにも使用でき、その間にＯが性器を隠すことができる。使用後、Ｏは外されてＰ内に押し入れられ、その後にＰが閉鎖される。Ｐから突き出るＯの部分としての隅／角は折り曲げられるか、切断されるか、丸くされるか、或は、使用者の形状に合うように曲げられた形状とされていてもよい。
【００１０】
寸法４０×４０×６０ｃｍのバージョンのＰを緊急トイレとして使用することができる。必要に応じて、ゴミ袋のようなビニール袋をその内側に配置してもよい。必要に応じて、折り畳み可能な脚を有する便座がその上に配置されてもよい。これらの脚の下端部は、管状或は偏平形状物で互いに連結されて、便座がより安定するようにしてもよい。Ｐの内部に通気すべく、Ｐの上方側部／開口部をファスナ無しで折り畳んで、複数層を一体的に堅固に押圧するようにしてもよい。Ｐの折り畳まれた上側部／開口部を雨から遮断すべく、同じく防水カートンＰで形成された縦に折り畳まれた矩形を作成し、Ａ上方に配置される屋根（屋根Ｄ）として使用してもよい（ＡはＰの折り畳まれた上側部／開口部である）。Ｄの一方の側部はＰの一方の側部に部分的に取り付けられ、Ｄの他方の側部はＰの反対の側部に係止される。例えば、矢印の先端のような形状のタブを使用することができる。このタブは、Ｐの側部の両端部と連結された矩形の下側に押し入れることによってＰの側部に引っ掛けることができる。必要に応じ、極細の網の層を用いて、Ｐの折り畳まれた上側部／開口部を虫から遮断するようにしてもよい。このＰのバージョンが一杯にされたら、出来る限り早く空とすることが望ましい。Ｐの内側で上昇する圧力が確実に特定レベルを超えないように、バルブをＰの側部に取り付けてもよい。このバルブにはフィルタを組み込み、Ｐの内容物が外に出ないようにする。このバージョンのＰの使用の前後に、その内容物を殺菌して濃化するものをＰに入れてもよい。
【００１１】
２つの小さな矩形を取り付けてなる矩形が、中間を縦方向に通る溝を構成している。複数の矩形から成るこれら組み合わせの２つが相互にヒンジ連結され且つ外側において両方の溝と連結された場合、必要に応じて、この対象物物の内側に結着されたラバーの２枚の層をＡまたはビニール袋の開口部の周りに折り曲げ、溝に嵌合するファスナを用いて確実に押圧されるようにしてもよい。矩形の２つの組み合わせが、その最小の側同士がヒンジ付けされるように相互に連結されたとき、矩形の１の角部と他の矩形の角部とにフックが取り付けられるが、フックはこの矩形のヒンジのある側の角に取り付けられる。この対象物はプラスチック、金属、或は、カートンから形成することができる。
【００１２】
ファスナはまた、ヒンジ付けで相互に連結された２つの堅固な矩形から形成することができ、この２つの堅固な矩形はねじで一体的に押圧される。
【００１３】
Ｐの開口部のリム内側に粘着層を設けてもよい。この粘着層は取り外し可能なホイル片で覆ってもよい。
【００１４】
Ａの上側部に更なる層を貼りつけてファスナが（その方向に）滑らないようにし、またこれをカートンの開口部であってカートンの１の角部の展開されたフラップの先端を切り取って形成された開口部の周りに貼りつけてもよい（図５、１５、２０）。この場合、これらカートンの開口部はファスナを用いて堅固に閉鎖されることになる。これらカートンの角部間には、三角形状のフラップが展開可能に存在している。展開されたフラップの先端を切り取って、内容物を注ぎ出す開口部を作成することができる。開口部を作成すべくフラップの先端が切り取られる部分の点線の周りに貼りつけられたカートンの更なる層が、フラップの周りに押し入れられたファスナが不意にその方向に滑らないようにしている。
2007534564.tif 000002
2007534564.tif 000003
2007534564.tif 000004
2007534564.tif 000005
2007534564.tif 000006
2007534564.tif 000007
2007534564.tif 000008